(57)【要約】【課題】入力手段による長時間入力時の腕の疲れを軽減するとともに、装置の落下時の衝撃を緩和し得る携帯型情報処理装置を提供する。【解決手段】筐体に回動可能に取り付けた弾性部材をバネ力により無負荷時には前記筐体の底面下部に回り込むようにし、前記弾性部材をバネ力に抗して回動させて前記筐体の前方に位置させることによりパームレストとして使用可能にした。【選択図】  図１
2004310657.tif 000002
【特許請求の範囲】
【請求項１】
筐体上面に入力手段を有する携帯型情報処理装置であって、前記筐体に回動可能に取り付けた弾性部材をバネ力により無負荷時には前記筐体の底面下部に回り込む状態とし、かつ前記弾性部材をバネ力に抗して回動させて前記筐体の前方に位置させることによりパームレストとして使用可能に構成したことを特徴とする携帯型情報処理装置．
【請求項２】
弾性部材は薄板形状からなり、無負荷時に筐体の底面下部に回り込んだ時、その筐体底面との間に間隙を有することを特徴とする請求項１記載の携帯型情報処理装置．
【請求項３】
弾性部材は発泡部材あるいはゴム部材からなることを特徴とする請求項１記載の携帯型情報処理装置．
【請求項４】
弾性部材の厚みが部位により異なる不均一形状からなることを特徴とする請求項３記載の携帯型情報処理装置．
【発明の詳細な説明】
【０００１】
【発明の属する技術分野】
本発明はノート型パソコンなどの携帯型情報処理装置に関し、長時間入力時の疲労軽減と落下時の磁気記録再生装置などの破損を防止するようにしたものである。
【０００２】
【従来の技術】
携帯型情報処理装置で代表されるノート型パソコンは内部に磁気記録再生装置（ＨＤＤ）を搭載しており、落下時の衝撃でＨＤＤが破損すると、蓄積したデータを再生することができなくなるばかりか、記録することもできなくなる。このためノート型パソコンの設計時には特にＨＤＤの耐衝撃性の確保が重要になっている．
図７に、従来のノート型パソコンのＨＤＤの耐衝撃構造例を示す。２０はＨＤＤ、２１はＨＤＤ２０の周囲に配置した緩衝材であり、これは主に発泡材あるいはゲル材からなる．このように従来はＨＤＤ２０の周囲に緩衝材２１を配置して落下時に筐体２２に伝わる衝撃をこの緩衝部材２１の変形により吸収し、緩和するようにしている．
【０００３】
【特許文献１】
特開２０００−２７７９３５号公報
【０００４】
【発明が解決しようとする課題】
ノート型パソコンに搭載されている一般的な２．５インチサイズのＨＤＤの耐衝撃値限界は非動作時には約８００Ｇであり、落下衝突時にＨＤＤが受ける衝撃値を上記値以下まで緩和する必要がある。一般的にＨＤＤの緩衝性能を上げるには緩衝材の厚みを厚くし、緩衝材の圧縮量を大きくすれば可能であるが、近年は携帯性向上の観点から筐体の薄型化が重要視されており、このため特にＨＤＤの上面および下面の緩衝材の厚みは薄くせざるを得なくなってきている．しかしながら緩衝材が薄くなるとパソコンが底面から水平に落下する底面落下時に十分な緩衝性能が得られず、ＨＤＤが破損しやすくなるという課題があった．
また、Ｂ５〜Ａ５サイズ程度のノート型パソコンでは小型化のため、キー入力時に手をのせる部位（パームレスト）が小さいか、あるいは全くないため、長時間のキー入力は手が疲れるという課題もあった．
【０００５】
【課題を解決するための手段】
上記課題を解決するために本発明は筐体の上面に入力手段を有する携帯型情報処理装置において、弾性部材をバネ力により附勢した状態で前記筐体に回動可能に取り付け、この弾性部材をキー入力時にはパームレストとして使用でき、また非使用時、すなわち無負荷時には弾性部材はバネ力により回動して前記筐体底面下部に位置するようにし、落下時の緩衝材として機能するようにしたものである。
【０００６】
さらに、前記弾性部材が薄板からなるものでは無負荷時には筐体底面と弾性部材との間に間隙を有するようにその弾性部材にスロープをつけることにより、さらに大きな緩衝力を得ることができる。
【０００７】
また、弾性部材の材料として発泡部材を用いることで、その粘性減衰性能により金属部材からなるものに比べて圧縮変形後のリバウンドを小さくでき、筐体内部の磁気記録再生装置への衝撃力を小さくすることが可能となる。さらに弾性部材はその厚みを部位により変化させた形状とすることが好ましい．
【０００８】
【発明の実施の形態】
以下、本発明の実施の形態について図面を参照しながら説明する。
【０００９】
（実施の形態１）
図１〜図３は本発明の実施の形態１を示すもので、図１は使用時の概略側断面図、図２はその要部斜視図、図３は落下衝突時の概略側断面図である。１はノート型パソコンなどの携帯情報処理装置の筐体、２は弾性部材、３は筐体１の前方内部に搭載された磁気記録再生装置（ＨＤＤ）、４は机面、５は弾性部材２を筐体１に回動可能に取り付けている軸、６は装置駆動用のバッテリ、７は筐体１に回動可能に取り付けられたディスプレイ、８は筐体１の後方上面に配置されたキーボードである。
【００１０】
前記弾性部材２は緩やかなくの字状をした薄板部材からなり、その両端部の腕２ａの先端部が筐体１の前方側面に回動可能に取り付けられ、かつ、筐体１内で軸５はコイルバネ９と結合されて弾性部材２は矢印Ｐ方向、すなわち反時計方向に附勢されている。
【００１１】
したがって、図１のように装置の使用時には弾性部材２をコイルバネ９の附勢力に抗して筐体１の前方に回動させ、先端部が机面４上に当接させた状態にすることにより弾性部材２はパームレストとして使用することができる。このため面積が小さいノート型パソコンではパームレスト部の面積を拡大でき、長時間入力時の腕の疲れを軽減することが可能となる．
次に、例えば上記筐体１が机面４から床面１０などに落下した場合、その落下中に弾性部材２はコイルバネ９のバネ力により反時計方向に回動し、瞬時に筐体１の底面部に回り込み、その結果弾性部材２はＨＤＤ３の下部に位置されるため、図３に示すようにくの字状の弾性部材２の弾性変形によりＨＤＤ３への衝撃が緩和される．
また、弾性部材２が筐体１の底面に回動された状態で弾性部材２と筐体１の底面との間に空間を設けることにより、緩衝ストロークを大きくすることが可能となり、緩衝性能を高めることができる．さらに、弾性部材２は携帯時には筐体１の底面に回り込んだ状態となるため、携帯性を著しく損なうことはない．
弾性部材２としては衝撃時に大きな変形を起こし、リバウンド時の跳ね返り係数を小さくできるウレタンなどの発泡性部材あるいはゴム部材が適当である．
（実施の形態２）
図４〜図６は本発明の実施の形態２を示すもので、図４は使用時の概略側断面図、図５は落下中の状態を示す概略側断面図、図６は落下衝突時の概略側断面図である。これらの図において実施の形態１と同一構成部分には同一符号が附してある。
【００１２】
この実施の形態２において、実施の形態１と異なる点は、弾性部材２が略三角形状の厚肉中実の発砲部材からなり、そしてこの弾性部材２の基部下端部が筐体１の前面下部に軸５により回動可能に取り付けられている点である。なお、軸５に嵌合したコイルバネ（図示せず）により弾性部材２が矢印Ｐ方向に附勢されるようにすることは同じである．
この実施の形態２では、図４に示すように使用時には弾性部材２は机面４からバネ力に抗する力を受けて机面４上に位置し、このためパームレストとして使用することができる。そして万一落下した場合その落下中に弾性部材２はコイルバネ力により瞬時に図５に示すように矢印Ｐ方向に回動する．そして床面１０に落下した時、図６に示すように弾性部材２が筐体１の底面下部に回り込んで衝撃力により弾性変形し、ＨＤＤ３に加わる衝撃を緩和する．
そして、弾性部材を本構成のように傾斜面を有する形状とすることで、このような傾斜面がなく一度に大きな平面で床面と衝突する形状の場合よりも衝突初期に小さい接触面積で衝撃力を受けるため面圧が大きくなり、大きな圧縮変形を起こすため、大きな緩衝性能を得ることができる．
上記実施の形態２においても弾性部材２としては、衝撃時に大きな変形を起こし、リバウンド時の跳ね返り係数の小さい発泡性部材あるいはゴム部材が適当である．
以上説明したように、いずれの構成も筐体内部での緩衝材の厚み、すなわち、筐体厚みを増加させることなく、ＨＤＤの緩衝性能を上げることが可能となる上に、ノート型パソコンのように面積が小さかったパームレストを拡張できるため、長時間入力時の疲労も軽減できるものである．
なお、弾性部材２を筐体１に着脱自在とすることも可能であり、装置の不使用時は弾性部材を筐体から取り外し、使用時のみ弾性部材を筐体に取り付けるようにしてもよい。
【００１３】
【発明の効果】
以上のように本発明は、弾性部材をバネ力により附勢した状態で筐体に回動可能に取り付けることで、その弾性部材をパームレストとして使用することにより入力手段による長時間入力時の腕の疲れを緩和することができ、また万一の落下時には衝突時の装置内部への衝撃を緩和する緩衝材となるため、装置の構成部品などの損傷を防ぐことができる．
【図面の簡単な説明】
【図１】本発明の実施形態１を示す装置の使用時の概略側断面図
【図２】本発明の実施形態１における装置の要部斜視図
【図３】本発明の実施形態１における装置の落下衝突時の概略側断面図
【図４】本発明の実施形態２を示す装置の使用時の概略側断面図
【図５】本発明の実施形態２における装置の落下中の状態を示す概略側断面図
【図６】本発明の実施形態２における装置の落下衝突時の概略側断面図
【図７】従来のノート型パソコンの磁気記録再生装置の緩衝構造を示す側断面図
【符号の説明】
１  筐体
２  弾性部材
３  磁気記録再生装置
４  机面
５  軸
６  バッテリ
７  ディスプレイ
８  キーボード
９  コイルバネ
１０  床面
【図１】
2004310657.tif 000003
【図２】
2004310657.tif 000004
【図３】
2004310657.tif 000005
【図４】
2004310657.tif 000006
【図５】
2004310657.tif 000007
【図６】
2004310657.tif 000008
【図７】
2004310657.tif 000009